(57)【特許請求の範囲】
【請求項１】
稼働時間計測装置により計測されたレンタル時間乃至日数に応じてレンタル費用を算出するレンタル建設機械において、
前記稼働時間計測装置を構成する稼働時間計にエンジンの始動・停止を行う運転キー及び作業状態を示すセンサーを接続し、
該運転キーのオン・オフ信号に基づく運転開始・終了の日時及び前記センサーのオン・オフ信号に基づく作業開始・終了の日時を前記稼働時間計に記録し、該稼働時間計に記録された運転開始・終了の日時に基づいて運転時間及び運転時間の積算値を算出すると共に、該稼働時間計に記録された作業開始・終了の日時に基づいて稼働時間及び稼働時間の積算値を算出し、
算出された運転時間と運転時間の積算値及び稼働時間と稼働時間の積算値を前記稼働時間計に記録すると共に、該稼動時間計から取り外し可能な記憶手段に記録し、
該記憶手段に記録された前記運転時間と運転時間の積算値及び稼働時間と稼働時間の積算値に基づいて一定期間の運転時間と運転日数及び一定期間の稼働時間と稼働日数を算出し、
該一定期間の運転時間と運転日数及び一定期間の稼働時間と稼働日数に基づいてレンタル費用の算出を行う
ことを特徴とするレンタル建設機械稼働時間計測装置。
【請求項２】
前記取り外し可能な記憶手段は、前記稼働時間計に設けた挿入口に挿入可能なメモリーカード又はＩＣカードであることを特徴とする請求項１記載のレンタル建設機械稼働時間計測装置。
【請求項３】
前記取り外し可能な記憶手段は、前記稼働時間計に接続可能なハンディ型読取端末であることを特徴とする請求項１記載のレンタル建設機械稼働時間計測装置。
【発明の詳細な説明】
【０００１】
【発明の属する技術分野】
この発明は、レンタル建設機械のレンタル費用の算出に必要なデータを自動登録し、その自動登録されたデータのうち実際の作業に使用された時間乃至作業日数を考慮してレンタル費用の算出を行うレンタル建設機械稼働時間計測装置に関するものである。
【０００２】
【従来の技術】
レンタルされた建設機械のレンタル費用は作業時間の合計または作業に使用された日数を基に算出される。従来の建設機械に接続して使用される稼働時間計は運転キーのオンされた時間の累積をカウントする。しかし、この稼働時間計は建設機械が実際の作業に使用された時間、作業日数の算出に必要な作業日時等を記録する機能を有しないために、建設機械を実際の作業に使用した時間の累計および日数はユーザーによって計測され、記録されていた。
【０００３】
【発明が解決しようとする課題】
上述したように、従来の稼働時間計においては、建設機械を実際の作業に使用した時間および作業日数を記録できないために、レンタル会社は実際の作業に要した時間および日数累計をユーザーが記録した作業日時に基づいて算出していた。そのために、ユーザーの記録に不備があり、正しい稼働時間が得られない場合に、不正確なレンタル費用が算出されるという問題があった。
【０００４】
そこで、レンタルされた建設機械の正確な稼働日時および稼働時間を自動的に記録し、正確なレンタル費用を算出することに解決すべき技術的課題が生じてくるのであり、本発明はこの課題を解決することを目的とする。
【０００５】
【課題を解決するための手段】
本発明は上記目的を達成するために提案されたものであり、請求項１記載の発明は、稼働時間計測装置により計測されたレンタル時間乃至日数に応じてレンタル費用を算出するレンタル建設機械において、前記稼働時間計測装置を構成する稼働時間計にエンジンの始動・停止を行う運転キー及び作業状態を示すセンサーを接続し、該運転キーのオン・オフ信号に基づく運転開始・終了の日時及び前記センサーのオン・オフ信号に基づく作業開始・終了の日時を前記稼働時間計に記録し、該稼働時間計に記録された運転開始・終了の日時に基づいて運転時間及び運転時間の積算値を算出すると共に、該稼働時間計に記録された作業開始・終了の日時に基づいて稼働時間及び稼働時間の積算値を算出し、算出された運転時間と運転時間の積算値及び稼働時間と稼働時間の積算値を前記稼動時間計に記録すると共に、該稼働時間計から取り外し可能な記憶手段に記録し、該記憶手段に記録された前記運転時間と運転時間の積算値及び稼働時間と稼働時間の積算値に基づいて一定期間の運転時間と運転日数及び一定期間の稼働時間と稼働日数を算出し、該一定期間の運転時間と運転日数及び一定期間の稼働時間と稼働日数に基づいてレンタル費用の算出を行うレンタル建設機械稼働時間計測装置を提供する。
【０００６】
請求項２記載の発明は、請求項１記載の発明において、取り外し可能な記憶手段を稼働時間計に設けた挿入口に挿入可能なメモリーカード又はＩＣカードとしたレンタル建設機械稼働時間計測装置を提供する。
【０００７】
請求項３記載の発明は、請求項１記載の発明において、取り外し可能な記憶手段を稼働時間計に接続可能なハンディ型読取端末としたレンタル建設機械稼働時間計測装置を提供する。
【０００８】
【発明の実施の形態】
以下、図面を参照してこの発明の実施の形態について説明する。図１は、この発明の一実施形態によるレンタル建設機械稼働時間計測装置１の全体構成を示すブロック図、図２は図１における稼働時間計２の外観図である。この稼働時間計２は、レンタルされた建設機械に接続し、その建設機械に設けられている作業状態を示すセンサー７および運転キー６が供給する信号に基づき、稼働日時と稼働積算時間を記録する。また、記録されたデータをＬＣＤ表示器１０に表示できるようになっている。
【０００９】
上述の機能を達成するために、稼働時間計２の前面に、ＬＣＤ表示器１０、操作テンキースイッチ１１、カウンター挿入口１２、キースイッチ１４および電源ランプ１３が配置されている。
メモリーカードまたはＩＣカードによって構成されたカウンタ３をカウンタ挿入口１２へ挿入し、キースイッチ１４にキーを挿入し所定の位置にキーを合わせ、運転キー６をオンまたはアクセサリーにすることで稼働時間計２の電源がオンし、電源ランプ１３が点燈する。これにより稼働時間計２は稼働日時と積算時間を記録できる状態になる。また操作テンキースイッチ１１を操作することにより、内部に記録されている稼働時間等のデータがＬＣＤ表示器１０に表示される。
【００１０】
図３は、上述した稼働時間計２の動作を示すフローチャートである。稼働時間計２はこの図に示す手順により、作業日時の記録および作業時間の積算と記録を行う。レンタルを開始するための稼働記録計２に対する事前作業として、カウンタ３をカウンタ挿入口１２に挿入して、キースイッチ１４にキーを挿入し所定の位置にキーを合わせ、キーを回収しておく。
以下、この図面に従って稼働時間計２の動作を説明する。
【００１１】
レンタル開始後の動作フローは、運転手が運転キー６をオンまたはアクセサリーにすることで稼働時間計２の電源がオンして、稼働記録計が動作を開始する。
まず、カウンタ３がカウンタ挿入口１２に挿入されているか否か（ステップ１０１）を判断する、さらに作業開始時に運転キー６を操作し、エンジンをオンすると、エンジンがエンジンがオンしているか否か（ステップ１０２）を判断する、カウンタ３がカウンタ挿入口１２に挿入されていて、エンジンがオンしていれば稼働時間計２は運転オンの開始日時を記録し運転時間をカウントアップする（ステップ１０３）。
作業が開始され、作業センサー７が作業の開始を検出すると（ステップ１０５）稼働時間計２は作業開始の日時を記録し作業時間をカウントする（ステップ１０６）。
すなわち、エンジンがオンした状態でも建設機械が作業に入っているとは限らない。例えば、道路舗装機械のアスファルトペーパの場合は、バーフィーダが作動し、アスファルトが移送され始めて作業状態になるが、バーフィーダが作動するとその圧力がある値を越え一定圧となり、センサー７がオンとなる。そして、運転キー６と作業状態を示すセンサー７がオンになって、はじめて稼働時間計２は建設機械が作業状態にあると判定する。この状態になり、稼働時間計２は作業開始の日時を記録し、作業時間の積算を開始する。
【００１２】
作業が停止し、作業センサーがオフになると、稼働時間計２は作業終了の日時および作業時間の積算時間を記録し（ステップ１０８）、運転キー６がオフの状態になると、稼働記録計２は運転オフの日時および運転時間の積算時間を記録（ステップ１０９）する。
次に上記データをカウンタ３に書き込み（ステップ１１０）、電源をオフ（ステップ１１１）して作業を終了する。
【００１３】
図４は、稼働時間計２の詳細構成を示すブロック図である。この図において、稼働時間計２は、ＣＰＵ（中央処理装置）２０と、メモリ２１と、時計２２と、ＬＣＤ表示器１０と、操作テンキースイッチ１１と、キースイッチ１４と、ブザー２８と、パルス入力Ｉ／Ｆ（インターフェイス）・２５と、接点入出力Ｉ／Ｆ・２６と、アナログＩ／Ｆ・２７と、カウンタＩ／Ｆ・２９と、電源回路２３とから構成されている。パルス入力Ｉ／Ｆ・２５、接点入出力Ｉ／Ｆ・２６、アナログＩ／Ｆ・２７は、レンタルされた建設機械の作業状態を示すセンサー７に接続され、電源回路２３は、キースイッチ１４を介して接続される建設機械のバッテリー３０と、運転キー６のオンまたアクセサリー信号に接続される。
【００１４】
このような構成において、まず、レンタル開始時に、挿入口１２にカウンタ３をセットする。次にキースイッチ１４にキーを挿入し所定の位置にキーを合わせ、電源回路２３への回路を接続して稼働記録計が動作できる状態にして、キーを回収する。
上記作業終了後は、建設機械の運転手が建設機械の運転キー６を挿入し、オンまたはアクセサリー位置にセットすることで、稼働時間計２の電源回路２３がオンし、稼働時間計２の電源がオンする。この状態でＣＰＵ２０はカウンタＩ／Ｆ２９からのカウンタ３がセットされていることを示す接点信号を接点入出力Ｉ／Ｆ・２６を介して入力する。
次に運転キー６によりエンジンがオンするとパルス入力Ｉ／Ｆ・２５または接点信号を接点入出力Ｉ／Ｆ・２６を介してエンジンがオンした信号がＣＰＵ２０に供給される。ＣＰＵ２０は、前記カウンタＩ／Ｆ２９からのカウンタ３がセットされていることを示す接点信号を接点入出力Ｉ／Ｆ・２６を介して得られた信号とＡＮＤ（論理和）を取り条件が成立していれば、ＣＰＵ２０はエンジン始動の時間を時計２２から読み込み、メモリー２１へ送る。メモリ２１は時計２２からのデータを受けて、運転開始時間を記録する。さらに、ＣＰＵ２０は、運転時間の積算を開始する。
【００１５】
次に、建設機械が作業を開始すると、作業状態を示すセンサー７がオンになり、パルス入力Ｉ／Ｆ・２５、接点入出力Ｉ／Ｆ・２６またはアナログＩ／Ｆ・２７を介してＣＰＵ２０へ信号が送られる。この信号により、ＣＰＵ２０は建設機械が作業状態になったことを判断し、作業開始の時間を時計２２から読み込み、メモリー２１へ送る。メモリー２１は時計２２からのデータを受けて、作業開始時間を記録する。そして、ＣＰＵ２１は、作業時間の積算を開始する。
【００１６】
建設機械の作業が停止すると、ＣＰＵ２０は、作業状態を示すセンサー７からオフの信号をパルス入力Ｉ／Ｆ・２５、接点入出力Ｉ／Ｆ・２６またはアナログＩ／Ｆ・２７を介して受ける。この信号により、ＣＰＵ２０は、作業が終了したことを判断する。ＣＰＵ２０は、作業が停止したことを確認した後に作業時間の積算を中止し、次いで、作業の積算時間と作業終了時間をメモリー２１に記憶させる。
【００１７】
次に、運転キー６がオフとされると、建設機械のエンジンは停止し、運転は終了する。運転キー６がオフとされると、電源回路２３から運転キーがオフした信号が接点入出力Ｉ／Ｆ・２６を介してＣＰＵ２０へ信号が送られる。この信号により、ＣＰＵ２０は、運転が終了したことを判断し、ＣＰＵ２０は、運転時間の積算を中止し、次いで運転時間の積算時間と運転終了時間をメモリー２１に記憶させる。次にＣＰＵ２０は、カウンタＩ／Ｆ・２９を介してデータをカウンタ３に書き込み、次にＣＰＵ２０は、電源回路２３へ接点入出力Ｉ／Ｆ・２６を介して電源オフ信号を送り稼働記録計２の電源をオフする。
再び、運転手が建設機械の運転キーを挿入し、オンまたはアクセサリーの位置にセットするまで電源はオフする。
このようにして、建設機械の運転および作業が繰り返される度に、稼働状況が順次自動的に稼働時間計のメモリー２１とカウンタ３に記録される。
【００１８】
図５は、図１に示すハンディ型読取端末４の外観図である。このハンディ型読取端末４は、稼働時間計２に接続し、記録されている建設機械の稼働状況を読取る機能、記録したデータをＬＣＤ表示器４０に表示する機能および事務所システム５へ出力する機能を備えている。上述の機能を達成するために、ハンディ型読取端末４の前面に、ＬＣＤ表示器４０、電源スイッチ４１、モード切換スイッチ４２、操作テンキースイッチ４３が配置されている。ハンディ型読取端末４は、建設機械の作業記録を集計する集計員が携帯するのに便利になっている。集計員は、一定の期間、例えば１ケ月単位で建設機械のある現場にハンディ型読取端末４を携行し、稼働時間計２に接続することにより、稼働時間計２が記録しているデータを読取る。
【００１９】
集計員は、このハンディ型読取端末４を事務所に持ち帰り、記録したデータを事務所システム５に入力する。事務所システム５はハンディ型読取端末４から入力されたデータを以下の手順で処理する。
【００２０】
図６は、事務所システム５の動作を示すフローチャートである。以下、この図に従って事務所システム５の動作を説明する。まず、ハンディ型読取端末４から入力したデータに基づき１カ月間の稼働時間および運転時間を計算する（ステップ２０１）。次に、１カ月間の稼働日数および運転日数を計算する（ステップ２０２）。前記ステップ２０１と２０２で計算された日数および時間に基づきレンタル費用の計算を行う（ステップ２０３）。
【００２１】
【発明の効果】
以上説明したように、本発明によれば、レンタルされた建設機械の正確な稼働日時および稼働時間を自動的に記録することができる。これにより、正確なレンタル費用を算出する効果が得られる。
【図面の簡単な説明】
【図１】  この発明の一実施の形態の構成を示すブロック図である。
【図２】  図１における稼働時間計２の外観図である。
【図３】  同稼働時間計２の動作を示すフローチャートである。
【図４】  同稼働時間計２の詳細構成を示すブロック図である。
【図５】  図１におけるハンディ型読取端末４の外観図である。
【図６】  図１における事務所システム５の動作を示すフローチャートである。
【図７】  同事務所システム５の表示画面の一例を示す図である。
【符号の説明】
１  レンタル建設機械稼働時間測定装置
２  稼働時間計
３  カウンタ
４  ハンディ型読取端末
５  事務所システム
１０  ＬＣＤ表示器
１１  操作テンキースイッチ
１２  カウンタ挿入口
２０  ＣＰＵ
２１  メモリー
２２  時計
２５  パルス入力Ｉ／Ｆ
２６  接点入出力Ｉ／Ｆ
２７  アナログＩ／Ｆ
４０  ＬＣＤ表示器
４２  モード切換えスイッチ
４３  操作テンキースイッチ
【図１】
0003682672.tif 000002
【図２】
0003682672.tif 000003
【図３】
0003682672.tif 000004
【図４】
0003682672.tif 000005
【図５】
0003682672.tif 000006
【図６】
0003682672.tif 000007
【図７】
0003682672.tif 000008